(57)【要約】【課題】  ２パスでプリントする場合、２パス目でジャムになると、それを取り除いても、１パス目のプリント済みの用紙がないため、ページが欠けてしまうという問題が発生する。【解決手段】  １パス目の画像データを印刷した用紙に対して、２パス目の画像データをプリントする場合に、２パス目の画像データの印刷中にジャムが発生すると、ジャムからの復旧後、１パス目の画像データの印刷をプリント手段に自動的に行わせる。【選択図】  図５
2010005904.tif 000002
【特許請求の範囲】
【請求項１】
１パス目の画像データを印刷した用紙に対して、２パス目の画像データをプリントするプリント手段と、
前記２パス目の画像データの印刷中にジャムが発生した場合に、ジャムからの復旧後、前記１パス目の画像データの印刷を前記プリント手段に自動的に行わせる制御手段とを有することを特徴とする印刷装置。
【請求項２】
前記２パス目の画像データの印刷中にジャムが発生した場合に、当該ジャムが発生したページを示す情報を表示する表示手段をさらに有することを特徴とする請求項１に記載の印刷装置。
【請求項３】
前記制御手段によって、前記２パス目の画像データの印刷中にジャムが発生した場合に、ジャムからの復旧後、前記１パス目の画像データの印刷、及び前記２パス目の印刷を前記プリント手段に行わせることを特徴とする請求項１に記載の印刷装置。
【請求項４】
前記２パス目の画像データの印刷中にジャムが発生した場合に、当該ジャムを発生させる要因となった用紙のかわりに代替紙を挿入する挿入手段をさらに有することを特徴とする請求項１に記載の印刷装置。
【発明の詳細な説明】
【技術分野】
【０００１】
本発明は、印刷装置に関するものである。
【背景技術】
【０００２】
デジタルプリンティング技術はオンデマンド印刷市場や少部数の文書印刷市場において、近年確実にその利用価値を高めつつある。特に電子写真技術を用いたフルカラープリンティングは生産性や印刷コスト、メンテナンスの容易性などの面で他のプリンティング技術よりも優位な位置にあり、急速にその市場を広めつつある。
【０００３】
その中で、特に従来のＣＭＹＫトナーを用いた電子写真印刷によるフルカラー印刷だけではなく、さらに特殊なトナーを用いた多色の印刷方式も注目を集めている。例えば、特殊なトナーとして透明トナーというものがある。透明トナーは、トナー自体に色をもたず、それをプリントすることで光沢を出したりすることが可能となる。透明トナーのプリントの場合、ＣＭＹＫトナーに加えてプリントすることになる。そのため、トナーの載り量の制限を大きく受けてしまう。これを回避する方法として、２パスのプリント方法がある。これは、プリントを２度に分けて行う方法である。たとえば、１パス目のプリントでＣＭＹＫトナーの処理を行い、２パス目のプリントで透明トナーの処理を行うような方法である。このようにすることによって、１パスのプリントよりも、トナーの載り量をふやすことができるようになる。
【０００４】
上記の例として、下記特許文献１をあげることが出来る。
【特許文献１】特開昭58-192057号公報
【発明の開示】
【発明が解決しようとする課題】
【０００５】
上記のように、２パスでプリントすることによってトナーの載り量を増やすことができる。しかし、２パスでプリントする場合、２パス目でジャムになると、それを取り除いても、１パス目のプリント済みの用紙がないため、ページが欠けてしまうという問題が発生する。そのため、ユーザは一旦全てのプリントを完了した後、再度、ジャムになった箇所をプリントする必要がある。また、再度プリントする場合でも、どのページでジャムになったのか分かりづらいという問題もある。
【０００６】
本発明は、上記課題に鑑みてなされたものであり、２パス目でジャムが発生しても、極力ユーザに手間をかけることなく、復旧作業を行うことができる印刷装置を提供することを目的とする。
【課題を解決するための手段】
【０００７】
請求項１に係る発明は、１パス目の画像データを印刷した用紙に対して、２パス目の画像データをプリントするプリント手段と、前記２パス目の画像データの印刷中にジャムが発生した場合に、ジャムからの復旧後、前記１パス目の画像データの印刷を前記プリント手段に自動的に行わせる制御手段とを有する。
【発明の効果】
【０００８】
２パス目のジャム時に、1パス目と２パス目のリプリントを行うことで、プリント完了後に再度プリントを行うという手間を省くことができる。
【発明を実施するための最良の形態】
【０００９】
次に、本発明の詳細を実施例の記述に従って説明する。
【実施例１】
【００１０】
[システム構成]
本発明による印刷装置の実施例である複合機のシステム構成を図１に示す。
【００１１】
画像データを出力するプリンタ装置（１０２）は、マーキングユニット（１０３）、給紙ユニット（１０４）、排紙ユニット（１０５）から構成されている。マーキングユニット（１０３）は、画像データの転写や定着を行う。給紙ユニット（１０４）は、マーキングユニット（１０３）へプリントするための紙を供給する。マーキングユニット（１０３）が、用紙（シート）に画像データを転写・印字した後、排紙ユニットはプリントされた紙を排出する。その際、給紙ユニット（１０４）は、排出した紙のソート処理やステイプル処理などを行うこともできる。
【００１２】
リーダー装置（１０６）は、原稿画像を光学的に読み取り、画像データに変換する。また、リーダー装置（１０６）は、装置に置いた原稿を読み取るだけでなく、原稿を搬送する機能もある。
【００１３】
また、プリンタ装置（１０２）やリーダー装置（１０６）などの制御は、制御装置（１０７）が行う。制御装置（１０７）は、前記装置以外にも操作部（１０８）や記憶装置（１０９）にもアクセスできる。操作部（１０８）は、ハードキー以外にもタッチパネルを備えており、それらを用い、ユーザからの入力を受け付ける。また、タッチパネルの画面には画像を含めたメッセージを表示することができる。記憶装置（１０９）は、リーダーから読み取った画像データや外部から取得した画像データを保存することができる。
【００１４】
複合機（１０１）は、外部とＬＡＮ（１１０）で接続されている。また、ＬＡＮ（１１０）にはＰＣ（１１１）も接続されており、これらのＰＣ（１１１）から複合機に画像データなどを送信できる。
【００１５】
[２パスのプリント処理]
次に、２パスのプリント処理について、図２を用いて説明する。ここでは、１パス目にＣＭＹＫトナー、２パス目に透明トナーを使ったプリントを例にあげる。まず、複合機（２０２）は、原稿１（２０３）の画像データを取得する。次に、２０１の紙を給紙し、プリントを開始する。ユーザが設定した部数だけプリント処理を行い、２０４を生成する。そして、これらの給紙から排紙までの一連の流れが１パス目の処理となる。ここでは、可視画像データをＣＭＹＫトナーでプリントするため、ごく一般的なプリントと同様の処理である。次に、２０４のプリントされた紙を再度、プリントを行う。これ以降が２パス目の処理となる。複合機（２０６）は、１パス目と同じように、原稿２（２０５）の画像データを取得する。原稿２は、透明トナーを紙全面にプリントすることを示している。複合機（２０６）は、すでに一旦プリントされた２０４を給紙し、紙全面に透明トナーのプリントを行い、２０７を生成する。ここまでが、２パス目の処理となる。
【００１６】
以上のように、２パスとは、一旦プリントされたものに対して再度プリント処理を行うことである。そして、２パスは、１パスで全ての処理を行う場合よりもトナーの載り量を増やせるというメリットがある。なお、複合機２０２と複合機２０６は、同じ複合機を用いる場合もある。
【００１７】
[２パス目ジャム時の復旧処理]
２パス目ジャム時の復旧処理について、図３を用いて説明する。まず、この図では、３０１から３０２で１パスの処理を行い、３０２から３０５で２パスの処理を行っていることを示している。そして、３０３で２パス目の途中でジャムが発生しており、３０４で、その復旧を行っている。ここでの復旧処理としては、印刷中（プリント中）ジャムが発生した場合、一旦プリントを中断する。そして、ユーザによりジャムを発生させる要因となった用紙が取り除かれるとプリントを再開する。しかし、そのまま再開しただけでは、１パス目プリント済みの紙がジャム紙として取り除かれているため、ページが欠けた状態となる。そこで、ジャムからの復旧後、２パス目のリプリントを行う前に、自動的に１パス目のリプリントを行うことでページの欠けを防いでいる。
【００１８】
[フローチャート]
１パス目のフローチャートを図４に示す。まず、操作部やLAN経由のPCからの指示で１パス目の処理を開始（４０１）する。（４０２）で、１パス目で使用する全画像データを取得する。次に、（４０３）で２パス目ジャム時に１パス目の画像データをリプリントできるように、（４０２）で取得した画像データを記憶装置に記憶する。（４０４）で、全画像データの中から最初のページの画像データを取得する。（４０５）で、取得した画像データのプリントを開始する。次に、（４０６）でプリント中にジャムが発生していないか確認する。もし、ジャムになっていた場合は、（４０７）で操作部にジャム紙を取り除くようにメッセージを表示する。そして、（４０８）でジャム紙が取り除かれるのを待つ。ジャム紙が取り除かれると、ジャムとなったページのリプリントを行うため、（４０５）以降の処理を行う。（４０６）でジャムが発生していない場合は、（４０９）でプリントすべき次のページがあるか確認する。もし、ページがある場合は、（４０４）で次のページの画像データを取得し、プリント処理を行う。次のページがない場合は、１パス目のプリントを終了する。
【００１９】
次に、２パス目のフローチャートを図５に示す。基本的には、１パス目と同じような処理の流れとなっている。２パス目の処理を開始（５０１）すると、（５０２）で、２パス目で使用する全画像データを取得する。さらに、（５０３）で全画像データの中から最初のページの画像データを取得する。（５０４）で、取得した画像データのプリントを開始する。次に、（５０５）でプリント中にジャムが発生していないか確認する。もし、ジャムになっていた場合は、（５０６）で操作部にジャム紙を取り除くようにメッセージを表示する。そして、（５０７）でジャム紙が取り除かれるのを待つ。ここからが、１パス目の場合と異なる点である。２パス目でジャムとなり、取り除かれた場合、２パス目のリプリントを行う前に１パス目のリプリントを行う必要がある。そこで、（５０８）で１パス目のリプリントを行う。また、１パス目のリプリントが行われた時点では、機外に排出された状態になっているので、再度ユーザにより給紙してもらう必要がある。そこで、（５０９）では、１パス目のリプリントを行った紙が給紙されるまで待つ。そして、意図した紙が給紙しされた時点で、（５０４）まで戻り、２パス目のリプリントを行う。これにジャムとなった紙の補完が完了する。また、（５０５）でジャムになっていない場合は、１パス目のプリント同様の処理を行う。（５１０）でプリントすべき次のページがあるか確認する。もし、ページがある場合は、（５０３）で次のページの画像データを取得し、プリント処理を行う。次のページがない場合は、１パス目のプリントを終了する。
【００２０】
次に、（５０８）１パス目リプリント処理の詳細なフローチャートを図６に示す。まず、１パス目のリプリントが開始（６０１）されると、（６０２）で、それまでプリントしようとしていた２パス目の画像データを記憶装置に退避させる。（６０３）で、ジャムとなった紙に対応する1パス目の画像データを取得する。取得方法としては、（４０３）で記憶した画像データから対応するページを取得する方法や、ユーザにより指定された画像データを取得する方法などがある。そして、（６０４）で取得した画像データのプリントを開始する。次に、（６０５）でプリント中にジャムが発生していないか確認する。もし、ジャムが発生している場合は、通常の1パス目のプリントと同様に、ユーザにジャム紙を取り除いてもらうことでプリントを再開する。また、（６０５）でジャムが発生していない場合は、（５０９）以降の２パス目のリプリント処理を行う必要があるため、（６０２）で退避していた２パス目の画像データを復帰（６０８）させる。そして、（６０１）から（６０９）までの一連の処理で１パス目のリプリントが完了する。
【実施例２】
【００２１】
[２パス目ジャム時の復旧処理]
２パス目ジャム時の復旧処理について、図７を用いて説明する。まず、この図では、７０１から７０５で１パス目の処理を行い、７０３から７０５で２パス目の処理を行っていることを示している。そして、７０３で２パス目の途中でジャムが発生しており、７０４で、その復旧を行っている。ここでの復旧処理としては、ジャムが発生した場合、一旦プリントを中断する。そして、ユーザによりジャム紙が取り除かれるとプリントを再開する。しかし、そのまま再開しただけでは、１パス目プリント済みの紙がジャム紙として取り除かれているため、ページが欠けた状態となる。そこで、次のページのプリントを再開する前に、ジャム紙の替わりに代替紙を挿入することで、全画像データのプリント完了後に、ユーザはジャムとなった箇所を容易に特定することができる。
【００２２】
[ジャム復旧時の設定画面]
２パス目ジャム時に代替紙を挿入するための設定画面を図８に示す。（８０１）は、操作部に表示される画面の一例で、"代替紙挿入の有無"（８０２）、“代替紙の給紙段”（８０３）、“ジャム情報の印字”（８０４）などの設定から構成されている。“代替紙挿入の有無”（８０２）では、２パス目でジャムが発生した場合に代替紙を挿入するかどうかを設定できる。この設定がＯＦＦの場合、代替紙を挿入せず、次のページからプリントを再開する。そのため、“代替紙挿入の有無”（８０２）がＯＮの場合に“代替紙の給紙段”（８０３）、“ジャム情報の印字”（８０４）などの設定が有効となる。“代替紙の給紙段”（８０３）では、代替紙の給紙段として、どこを使うか設定できる。ユーザは、ここで“色紙”や“サイズの大きな紙”のある給紙段を設定することで、２パス目でジャムとなった箇所を容易に特定することが可能となる。“ジャム情報の印字”（８０４）では、ジャム紙の替わりに挿入した代替紙に対して、ジャムになったページなどの情報を印字するか設定できる。この設定をONにすることで、ユーザは、全画像データのプリント完了後に、そのページを再度プリントすればよいかが分かりやすくなる。
【００２３】
[フローチャート]
１パス目のフローチャートは、実施例１の記載内容と同様である。２パス目のフローチャートを図９に示す。基本的には、実施例１の２パス目と同様な処理の流れとなっている。２パス目の処理を開始（９０１）すると、（９０２）で、２パス目で使用する全画像データを取得する。さらに、（９０３）で全画像データの中から最初のページの画像データを取得する。（９０４）で、取得した画像データのプリントを開始する。次に、９０５でプリント中にジャムが発生していないか確認する。もし、ジャムになっていた場合は、（９０６）で操作部にジャム紙を取り除くようにメッセージを表示する。そして、（９０７）でジャム紙が取り除かれるのを待つ。次が、実施例１の場合と異なる点である。２パス目でジャムとなり、取り除かれると、（９０８）で代替紙の挿入を行う。ここでは、１パス目のリプリントではなく代替紙を挿入するため、２パス目のリプリントも行う必要がない。そのため、（９０８）でジャムとなった紙は２パス目もプリントが完了したものとみなし、処理を続ける。次に、（９０９）でプリントすべき次のページがあるか確認する。また、（９０５）でジャムになっていない場合も同様の処理を行う。（９０９）で、次のページがある場合は、（９０３）で次のページの画像データを取得し、プリント処理を行う。次のページがない場合は、２パス目のプリントとを終了する。
【００２４】
次に、（９０８）の代替紙挿入処理の詳細なフローチャートを図１０に示す。まず、代替紙挿入が開始（１００１）されると、（１００２）で代替紙挿入の設定を確認する。これは、（８０２）の設定に対応するもので、（８０２）がＯＦＦに設定されている場合は、（１００２）で代替紙を挿入する必要がないと判断し、そのまま終了（１０１１）する。（８０２）がＯＮに設定されている場合は、（８０３）の代替紙の給紙段を取得する。次に、（１００４）で代替紙にジャム情報のプリントを行うかどうか確認を行う。（８０４）のジャム情報の印字がＯＦＦのとき、（１００５）で白紙の画像データを作成し、ＯＮのとき、（１００６）でジャム情報の画像データを作成する。（１００７）では、（１００５）または（１００６）で作成した画像データのプリントを開始する。次に、（１００８）でプリント中にジャムが発生していないか確認する。もし、ジャムが発生している場合は、通常の１パス目のプリントと同様に、ユーザにジャム紙をより除いてもらうことでプリントを再会する。また、（１００８）でジャムが発生していない場合は、そのまま終了する。そして、（１００１）から（１０１１）までの一連の処理で代替紙挿入が完了する。
【実施例３】
【００２５】
[フローチャート]
実施例１と実施例２の２パス目を選択的に実行する処理のフローチャートを図１１に示す。実施例１は、２パス目ジャム時に１パス目と２パス目のリプリントを行うため、プリント完了後にユーザの手間がない。しかし、１パス目の画像データを取得できることや、１パス目をリプリントするためのトナーが取り付けられていることなどの条件が必要となる。一方で実施例２は、２パス目ジャム時にリプリントを行わず、代替紙の挿入を行うので、１パス目の画像データを必要としない。そのため、１パス目と２パス目が異なる実機だった場合などに役立つ。しかし、プリント完了後、代替紙が挿入されている箇所を再度プリントする手間がある。そこで、実施例１と実施例２の２パス目の処理を選択的に実行する。そのため、基本的には実施例１や実施例２の２パス目と同様な処理の流れとなっている。
【００２６】
２パス目の処理を開始（１１０１）すると、（１１０２）で、２パス目で使用する全画像データを取得する。さらに、（１１０３）で全画像データの中から最初のページの画像データを取得する。（１１０４）で、取得した画像データのプリントを開始する。次に、（１１０５）でプリント中にジャムが発生していないか確認する。もし、ジャムになっていた場合は、（１１０６）で操作部にジャム紙を取り除くようにメッセージを表示する。そして、（１１０７）でジャム紙が取り除かれるのを待つ。次に、（１１０８）で１パス目のリプリントを実行するための条件が整っているか判断する。その条件には、前記の通り、１パス目の画像データが取得できること、１パス目のリプリントするためのトナーが取り付けられていることなどがある。もし、（１１０８）でリプリント可能と判断した場合は、（１１０９）で１パス目のリプリントを行い、（１１１０）で１パス目のリプリントを行った紙が給紙されるまで待つ。リプリント不可と判断した場合は、（１１１１）で代替紙の挿入を行う。また、（１１０５）でジャムになっていない場合は、１パス目のプリント同様の処理を行う。（１１１２）でプリントすべき次のページがあるか確認する。もし、ページがある場合は、（１１０３）で次のページの画像データを取得し、プリント処理を行う。次のページがない場合は、１パス目のプリントを終了する。
【００２７】
なお、本件の図４〜図６、図９〜図１１に示すフローチャートに示す処理は、それぞれ、制御装置１０７が、記憶装置１０９のようなメモリに格納されたプログラムを実行することによって実行される。
【図面の簡単な説明】
【００２８】
【図１】複合機のシステム構成図
【図２】２パスのプリント処理を示す図
【図３】２パス目ジャム時の復旧処理（リプリント）を示す図
【図４】1パス目のフローチャート
【図５】２パス目のフローチャート（リプリント）を示す図
【図６】１パス目リプリントのフローチャート
【図７】２パス目ジャム時の復旧処理（代替紙挿入）を示す図
【図８】ジャム復旧時の設定画面（代替紙挿入）を示す図
【図９】２パス目のフローチャート（代替紙挿入）を示す図
【図１０】代替紙挿入のフローチャート
【図１１】２パス目のフローチャート（復旧処理の選択）を示す図
【符号の説明】
【００２９】
１０４  排紙ユニット
１０５  給紙ユニット
１０７  制御装置
【図１】
2010005904.tif 000003
【図２】
2010005904.tif 000004
【図３】
2010005904.tif 000005
【図４】
2010005904.tif 000006
【図５】
2010005904.tif 000007
【図６】
2010005904.tif 000008
【図７】
2010005904.tif 000009
【図８】
2010005904.tif 000010
【図９】
2010005904.tif 000011
【図１０】
2010005904.tif 000012
【図１１】
2010005904.tif 000013